(57)【要約】【課題】指圧師と同様に指間穴を指圧することができる指間穴指圧装置を提供する。【解決手段】患者の指間を刺激する指間用指圧装置において、指間を挟むように一対の指圧棒を配置し、対となる指圧棒が駆動ユニットから伝わる動力によって前後方向に往復運動させ、駆動ユニットを、前後方向に回転運動する一対の歯車と、各歯車の前方に配置されたガイド体と、ガイド体に対して前後方向に直線運動できるように支持される移動体と、歯車の側面に一端が回転可能に軸止めされると共に該歯車の前方に位置する移動体の側面に他端が回転可能に軸止めされるリンク体とによって構成し、各歯車の前後方向の回転運動をリンク体を介して移動体に伝達させることで該移動体に連結した指圧棒を前後方向に往復運動させる。【選択図】  図２
2014104194.tif 000002
【特許請求の範囲】
【請求項１】
患者の指間を刺激するための指間用指圧装置において、指間を挟むように配置される一対の指圧棒を有しており、一対の指圧棒が前後方向に往復運動することによって指間が刺激できることを特徴とする指間用指圧装置。
【請求項２】
患者の手又は足の各指間に対応する四対の指圧棒を有する請求項１記載の指間用指圧装置。
【請求項３】
対となる指圧棒が駆動ユニットから伝わる動力によって前後方向に往復運動し、駆動ユニットが、前後方向に回転運動する一対の歯車と、各歯車の前方に配置されたガイド体と、ガイド体に対して前後方向に直線運動できるように支持される移動体と、歯車の側面に一端が回転可能に軸止めされると共に該歯車の前方に位置する移動体の側面に他端が回転可能に軸止めされるリンク体とによって構成されており、各歯車の前後方向の回転運動がリンク体を介して移動体に伝達されることで該移動体に連結された指圧棒が前後方向に往復運動する請求項１又は２のいずれかに記載の指間用指圧装置。
【請求項４】
歯車の側面に対するリンク体の一端の軸止め位置を調節することができる請求項３記載の指間用指圧装置。
【発明の詳細な説明】
【技術分野】
【０００１】
本発明は、指間用指圧装置に関するものである。
【背景技術】
【０００２】
周知のとおり、指圧療法は、患者の身体に点在するツボを刺激して患者の体調改善を行う治療法である。身体に点在するツボは、特に手足に多く集中しており、また、手足に位置するツボは、その多くが人体の各器官に通じている。このため、手足に位置するツボは、指圧療法においても重要視されている。
【０００３】
そして、近年においては、家庭用のマッサージ機が流行したことに伴って当該分野における技術開発が飛躍的に進歩しており、指圧師に代わって手足に位置するツボを指圧する指圧装置も多く開発されている。
【０００４】
例えば、後出特許文献１には、ゴム、スポンジ等の弾性体で形成した按摩板の片面に多数の突起を設け、この按摩板の一端に設けた取付穴にゴム材を嵌着して軸を挿通し、前記突起が対向するように２枚の按摩板を按摩機本体に装着し、他端に操作桿を設けて按摩板を按摩板の方向に交互に往復移動せしめる如くしてなる手、足の按摩機が開示されている。
【０００５】
後出特許文献２には、足の指間を広げることが可能な挟み手段を適宜位置に配設可能なると共に該挟み手段は、振動手段が内蔵されたベースに林立された突起部に係脱可能である足指保持機において、前記突起部の林立位置は、足の土踏まず部を支える部位近傍より放射状に複数個形成されてなる足指保持器が開示されている。
【先行技術文献】
【特許文献】
【０００６】
【特許文献２】実開昭４６−４２６１６号公報
【特許文献３】特開２０００−１５７５９６号公報
【発明の概要】
【発明が解決しようとする課題】
【０００７】
ところで、手足に位置するツボのうちで、親指と人差し指との間に位置する虎口と呼ばれるツボや、人差し指と中指との間、中指と薬指との間及び薬指と小指との間にそれぞれ位置する指間穴と呼ばれるツボは、冷え性や自律神経失調などに効果的なツボとされており、指圧療法においても頻繁に指圧されるツボである。
【０００８】
しかし、前記特許文献１に開示された按摩機においては、一対の按摩板で手や足を挟み、一対の按摩板を水平方向に交互に往復させることにより、一対の按摩板の互いに対向する面に設けられた多数の突起によって手や足に点在するツボを刺激するものであるため、手の甲（足の甲）や手の平（足の裏）に点在するツボのように按摩板の突起に接触し易い箇所に位置するツボしか効果的に刺激することができず、虎口や指間穴のように按摩板の突起に接触し難い箇所に位置するツボを直接的に刺激することができないという問題点があった。
【０００９】
一方、特許文献２に開示された足指保持器であれば、足の指の間に挟み手段を挟み込み、振動手段が内蔵されたベースを振動させることにより、当該振動が挟み手段に伝わって虎口や指間穴が直接的に刺激されるものの、ベースの振動による刺激であるため、指圧による刺激とは全く異なる刺激であり、指圧と同様の効果が得られるものではなかった。
【００１０】
そこで、本発明者は、指圧師と同様に指間穴を指圧することができる指間穴指圧装置を得ることを技術的課題として、その具現化をはかるべく、試行錯誤的に試作・実験を重ねた結果、患者の指間を刺激する指間用指圧装置において、指間を挟むように一対の指圧棒を配置し、一対の指圧棒が指間を挟み込んだ状態で前後方向に往復運動するようにすれば、指圧師と同様に指間に位置するツボを効果的に刺激することができるという刮目すべき知見を得、前記技術的課題を達成したものである。
【課題を解決するための手段】
【００１１】
前記技術的課題は、次の通りの本発明によって解決できる。
【００１２】
すなわち、本発明に係る指間用指圧装置は、患者の指間を刺激するための指間用指圧装置において、指間を挟むように配置される一対の指圧棒を有しており、一対の指圧棒が前後方向に往復運動することによって指間が刺激できるものである。
【００１３】
また、本発明は、前記指間用指圧装置において、患者の手又は足の各指間に対応する四対の指圧棒を有するものである。
【００１４】
また、本発明は、前記いずれかの指間用指圧装置において、対となる指圧棒が駆動ユニットから伝わる動力によって前後方向に往復運動し、駆動ユニットが、前後方向に回転運動する一対の歯車と、各歯車の前方に配置されたガイド体と、ガイド体に対して前後方向に直線運動できるように支持される移動体と、歯車の側面に一端が回転可能に軸止めされると共に該歯車の前方に位置する移動体の側面に他端が回転可能に軸止めされるリンク体とによって構成されており、各歯車の前後方向の回転運動がリンク体を介して移動体に伝達されることで該移動体に連結された指圧棒が前後方向に往復運動するものである。
【００１５】
また、本発明は、前記指間用指圧装置において、歯車の側面に対するリンク体の一端の軸止め位置を調節することができるものである。
【発明の効果】
【００１６】
本発明によれば、指間を挟むように一対の指圧棒を配置し、一対の指圧棒が前後方向に往復運動を繰り返すから、指圧師と同様に指間に位置するツボを効果的に刺激することができる。また、一対の指圧棒を前後方向に往復運動させる駆動ユニットとして、歯車の前後方向の回転運動をリンク体を介してガイド体に対して前後方向に直進運動できるように支持された移動体へ伝達する構成を採用したので、リンク体の歯車の側面に対する軸止め位置を調節することによって指圧棒の往復運動の態様を変更することができ、各患者に応じて一対の指圧棒の往復運動の態様を調節できる。
【００１７】
従って、本発明の産業上利用性は非常に高いといえる。
【図面の簡単な説明】
【００１８】
【図１】実施の形態１に係る指間用指圧装置を示した平面図である。
【図２】図１のボックスを透視した状態を示した平面図である。
【図３】図１のボックスに収納された第一変換機構を示した平面図である。
【図４】図１のボックスに収納された第二変換機構を示した側面図である。
【図５】図４に示す第二歯車及び第三歯車におけるリンク体の一端が固定される位置を比較するための説明図である。
【図６】図１に示す指圧部を示した側面図である。
【図７】図２に示す治療台と指圧手段とを示したＡ−Ａ断面図である。
【図８】図６に示す指圧部の動作を示した説明図である。
【図９】変形例１に係る駆動ユニットを示した側面図である。
【図１０】図９に示す第二歯車及び第三歯車におけるリンク体の一端が固定される位置を比較するための説明図である。
【図１１】変形例２に係る駆動ユニットを示した側面図である。
【図１２】図１１に示す第二歯車及び第三歯車におけるリンク体の一端が固定される位置を比較するための説明図である。
【図１３】変形例３に係る駆動ユニットを示した側面図である。
【図１４】図１３に示す第二歯車及び第三歯車におけるリンク体の一端が固定される位置を比較するための説明図である。
【発明を実施するための形態】
【００１９】
以下、本発明の実施の形態を説明する。
【００２０】
実施の形態１．
【００２１】
本実施の形態に係る指間用指圧装置１は、図１に示すように、ボックス２に収納された駆動手段３（図２参照）と、駆動手段３に接続されてボックス２の前方中央に設置される動力源４と、動力源４を挟んで両側に配置される一対の治療台５，５と、駆動手段３に接続されてボックス２の前面から突出して一対の治療台５，５上に伸びる一対の指圧手段６，６とから構成されている。なお、一対の指圧手段６，６は、一方が患者の左手７の指間を指圧する役割を有しており、他方が患者の右手８の指間を指圧する役割を有している。
【００２２】
駆動手段３は、図２に示すように、動力源４であるモーターによって得られた回転運動を往復運動に変換する機能を有している。そして、動力源によって得られる左右方向の回転運動を前後方向の回転運動に変換する第一変換機構９と、第一変換機構９によって得られる前後方向の回転運動を前後方向の往復運動に変換する第二変換機構１０とから構成されている。
【００２３】
第一変換機構９は、図３に示すように、動力源４からボックス２内へ伸びる第一回転軸１１と、第一回転軸１１の固定された第一小径歯車１２と、第一小径歯車１２と噛み合うように配置された第二小径歯車１３と、第二小径歯車１３が固定された固定された第二回転軸１４と、第二回転軸１４の先端に形成されたウォーム１５と、ウォーム１５と噛み合うように配置されたウォームホイール１６と、ウォームホイール１６から左右方向へ伸びる第三回転軸１７とから構成されている。そして、動力源４の左右方向の回転運動が第一回転軸１１、第一小径歯車１２及び第二小径歯車１３を介して第二回転軸１４に伝わり、第二回転軸１４の左右方向の回転運動がウォーム１５及びウォームホイール１６からなるウォームギアによって前後方向の回転運動に変換されて第三回転軸１７に伝わるようになっている。
【００２４】
第二変換機構１０は、図２に示すように、第一変換機構９を挟んで両側に四つずつ立設された支持板１８に固定される合計八つの駆動ユニット１９によって構成されている。そして、第一変換機構９に対して左側に配置される四つの駆動ユニット１９が左手用の指圧手段６に接続されていると共に、右側に配置される四つの駆動ユニット１９が右手用の指圧手段６に接続されている。なお、八つの駆動ユニット１９は、いずれも同一の構成を有している。また、第一変換機構９の一方側に配置される四つの支持板１８は、第三回転軸１７から前方に向かって徐々に間隔を狭めるように伸びており、第一変換機構９の他方側に配置される四つの支持板１８も、第三回転軸１７から前方に向かって徐々に間隔を狭めるように伸びている。
【００２５】
駆動ユニット１９は、図４に示すように、第一歯車２０、第二歯車２１及び第三歯車２２が互いに噛み合うように配置されており、三つの歯車２０，２１，２２のうち、第一歯車２０は、第一変換機構９を構成する第三回転軸１７に固定されており、第二歯車２１及び第三歯車２２は、第一歯車２０の前方に上・下に並べて配置されて支持板１８に対して回転可能に軸止めされている。なお、第二歯車２１及び第三歯車２２における第三回転軸１７に対して傾斜するように配置された支持板１８に軸止めされるものについては、第三回転軸１７に固定される平歯車からなる第一歯車２０と噛み合うように円錐状のかさ歯車が使用されている。
【００２６】
第二歯車２１の前方には、前後方向へ伸びるガイド体２３が支持板１８に固定されており、ガイド体２３は、前面に開口が形成されていると共に側面に長手方向へ伸びるガイド孔２４が形成されている。ガイド体２３内には、前面の開口から先端を突出させるように移動体２５が移動可能に挿入されている。そして、第二歯車２１と移動体２５とは、リンク体２６を介して連結されており、リンク体２６の一端が第二歯車２１の側面に対して回転可能に固定されていると共に、リンク体２６の他端がガイド体２３のガイド孔２４から覗く移動体２５の側面に対して回転可能に固定されている。よって、リンク体２６の他端の移動がガイド孔２４によって前後方向のみに規制されることにより、リンク体２６の一端の回転運動がリンク体２６の他端で直線運動に変換されて移動体２５に伝えられるようになっている。
【００２７】
また、第三歯車２２の前方には、前後方向へ伸びるガイド体２７が支持板１８に固定されており、ガイド体２７は、前面に開口が形成されていると共に側面に長手方向へ伸びるガイド孔２８が形成されている。ガイド体２７内には、前面の開口から先端を突出させるように移動体２９が移動可能に挿入されている。そして、第三歯車２２と移動体２９とは、リンク体３０を介して連結されており、リンク体３０の一端が第三歯車２２の側面に対して回転可能に固定されていると共に、リンク体３０の他端がガイド体２７のガイド孔２８から覗く移動体２９の側面に対して回転可能に固定されている。よって、リンク体３０の他端の移動がガイド孔２８によって前後方向のみに規制されることにより、リンク体３０の一端の回転運動がリンク体３０の他端で直線運動に変換されて移動体２９に伝えられるようになっている。
【００２８】
そして、第三回転軸１７の前後方向の回転運動が第一歯車２０を介して第二歯車２１及び第三歯車２２に伝わり、第二歯車２１及び第三歯車２２の前後方向の回転運動がリンク体２６，３０を介して移動体２５，２９に伝わって前後方向の往復運動に変換されるようになっている。
【００２９】
なお、第二歯車２１と第三歯車２２とは、同一の直径を有しており、図６に示すように、第二歯車２１の側面に対するリンク体２６の一端が固定された位置３１と第三歯車２２の側面に対するリンク体３０の一端が固定されている位置３２とは、両歯車２１，２２の中心を一致させた円上で比較すると上下方向（両歯車２１，２２の回転中心を結ぶ方向）に伸びる中心線（図６中、一点鎖線にて示す）に対して線対称の位置関係になっている。これにより、両移動体２５，２９は、同一振幅・同一周期で往復運動し、かつ、両移動体２５，２６の往復運動の位相差は１８０度となる。
【００３０】
指圧手段６は、図１及び図２に示すように、親指と人差し指との指間を指圧する第一指圧部３３と、人差し指と中指との指間を指圧する第二指圧部３４と、中指と薬指との指間を指圧する第三指圧部３５と、薬指と小指との指間を指圧する第四指圧部３６とから構成されており、動力源４側から第一指圧部３３、第二指圧部３４、第三指圧部３５、第四指圧部３６の順番に配置されている。そして、各指圧部３３，３４，３５，３６は、図５に示すように、上・下に配置された一対の指圧棒３７，３７から構成されている。一対の指圧棒３７，３７は、手７，８の厚みよりも狭い間隔を開けて平行に配置されており、互いに対向する面における前方寄りに位置する部分が緩やかに隆起した形状に形成されている。そして、一対の指圧棒３７，３７は、後端に形成された波状の弾性部３８が駆動ユニット１９を構成する一対の移動体２５，２９の前端にそれぞれ固定されている。
【００３１】
治療台５には、図２に示すように、指圧手段を構成する各指圧部３３，３４，３５，３６が設置される上面に、前方から後方に向かって扇状に広がるように四本の凹溝３９が形成されており、各凹溝３９には、対応する指圧部３３，３４，３５，３６が嵌り込むようになっている。なお、各凹溝３９の深さは、図７に示すように、対応する指圧部３３，３４，３５，３６の下側の指圧棒３７，３７のみが嵌り込むように設定されている。
【００３２】
次に、本実施の形態に係る指間用指圧装置１の動作について説明する。
【００３３】
先ず、患者が向かって左側の治療台５に左手７を置くと共に右側の治療台５に右手８を置き、各手７，８に対応する指圧手段６における第一指圧部３３を構成する一対の両指圧棒３７，３７の間に親指と人差し指との指間を差し込み、第二指圧部３４を構成する一対の指圧棒３７，３７の間に人差し指と中指との指間を差し込み、第三指圧部３５を構成する一対の指圧棒３７，３７の間に中指と薬指との指間を差し込み、第四指圧部３６を構成する一対の指圧棒３７，３７の間に薬指と小指との指間を差し込む。
【００３４】
次に、動力源４を稼動させ、動力源４によって得られる左右方向の回転運動を第一変換機構９によって前後方向の回転運動に変換する。具体的には、動力源４によって得られる左右方向の回転運動を、第一回転軸１１、第一小径歯車１２、第二小径歯車１３を介して第二回転軸１４に伝える。続いて、第二回転軸１４に伝わった左右方向の回転運動を、ウォーム１５及びウォームホイール１６によって前後方向の回転運動に変換して第三回転軸１７に伝える。
【００３５】
次に、第三回転軸１７に伝わった前後方向の回転運動を第二変換機構１０の各駆動ユニット１９によって前後方向の往復運動に変換する。具体的には、第三回転軸１７に伝わった前後方向の回転運動を、第一歯車２０を介して第二歯車２１及び第三歯車２２に伝える。続いて、第二歯車２１に伝わったの前後方向の回転運動を、リンク体２６によって前後方向の往復運動に変換して移動体２５に伝え、第三歯車２２に伝わったの前後方向の回転運動を、リンク体３０によって前後方向の往復運動に変換して移動体２９に伝える。なお、両移動体２５，２９の往復運動の周期は半周期ずれている。
【００３６】
そして、一対の移動体２５，２９が前後方向に往復運動することにより、一対の移動体２５，２９の前端に接続された一対の指圧棒３５，３５も前後方向に往復運動し、この時、一対の指圧棒３７，３７は、一対の移動体２５、２９と同様に半周期ずれて往復運動を繰り返すため、これにより、一対の指圧棒３７，３７の間に挟まれた指間のツボが両指圧棒３７，３７の対向する面に形成された隆起によって的確に刺激される。
【００３７】
具体的には、一対の指圧棒３５，３５が治療台５上に置かれた手７，８の指間を両指圧棒３５，３５の隆起部分で押圧した状態から、図８の（ａ）に示すように、上側の指圧棒３５が後方へ移動すると共に下側の指圧棒２５が前方へ移動し、上側の指圧棒３５が指間を上方から押圧した状態になると共に、下側の指圧棒３５が指間よりも手の平側を下方から押圧した状態となる（図８の（ｂ）参照）。続いて、図８の（ｂ）に示すように、上側の指圧棒３５が前方へ移動すると共に下側の指圧棒２５が後方へ移動し、一対の指圧棒３５，３５が治療台５上に置かれた手７，８の指間を両指圧棒３５，３５の隆起部分で押圧した状態に戻る（図８の（ｃ）参照）。続いて、一対の指圧棒３５，３５が指間を両指圧棒３５，３５の隆起部分で押圧した状態から、図８の（ｃ）に示すように、上側の指圧棒３５が前方へ移動すると共に下側の指圧棒２５が後方へ移動し、上側の指圧棒３５が指間よりも手の甲側を上方から押圧した状態になると共に、下側の指圧棒３５が指間を押圧した状態となる（図８の（ｄ）参照）。続いて、図８の（ｄ）に示すように、上側の指圧棒３５が後方へ移動すると共に下側の指圧棒２５が前方へ移動し、一対の指圧棒３５，３５が指間を両指圧棒３５，３５の隆起部分で挟み込んだ状態に戻る（図８の（ａ）参照）。以下、前記動作を繰り返す。
【００３８】
実施の形態２．
【００３９】
本実施の形態は前記実施の形態１に係る駆動ユニットの変形例であり、変形例１に係る駆動ユニットを図９及び図１０に示し、変形例２に係る駆動ユニットを図１１及び図１２に示し、変形例３に係る駆動ユニットを図１３及び図１４に示している。なお、図９〜図１４において、図１〜図８と同一符号は、同一又は相当部分を示している。
【００４０】
変形例１：本変形例に係る駆動ユニット１９においては、図９に示すように、第一歯車２０、第二歯車２１及び第三歯車２２が互いに噛み合うように配置されており、第二歯車２１と第三歯車２２とは同一の直径を有している。そして、第二歯車２１の側面に対するリンク体２６の一端が固定された位置４０と第三歯車２２の側面に対するリンク体３０の一端が固定されている位置４１とは、図１０に示すように、両歯車２１，２２の中心を一致させた円上で比較すると左右方向（両歯車２１，２２の回転中心を結ぶ方向に対して垂直な方向）に伸びる中心線（図１０中、二点鎖線にて示す）に対して線対称の位置関係になっている。これにより、両移動体２５，２９は、同一振幅・同一周期で往復運動し、かつ、両移動体２５，２９の往復運動の位相差は０度となる。
【００４１】
本変形例においては、両移動体の往復運動の位相差が０度になるため、指間を常に両指圧棒の隆起部分で挟みながら押圧することになり、強く押圧することができる。
【００４２】
変形例２：本変形例に係る駆動ユニット１９においては、図１１に示すように、第一歯車２０、第二歯車２１及び第三歯車２２が互いに噛み合うように配置されており、第二歯車２１と第三歯車２２とは同一の直径を有している。そして、第二歯車２１の側面に対するリンク体２６の一端が固定された位置４２と第三歯車２２の側面に対するリンク体３０の一端が固定されている位置４３とは、図１２に示すように、両歯車２１，２２の中心を一致させた円上で比較すると中心からの距離が異なる位置関係となっており、第二歯車２１の側面に対するリンク体２６の一端が固定された位置４２の中心からの距離よりも第三歯車２２の側面に対するリンク体３０の一端が固定されている位置４３の中心からの距離の方が短い位置関係になっている。これにより、両移動体２５，２９は、異なる振幅・同一周期で往復運動する。なお、移動体２５の往復運動よりも移動体２９の往復運動の方が振幅が小さくなる。
【００４３】
本変形例においては、第二歯車に連結された移動体の往復運動よりも第三歯車に連結された移動体の往復運動の方が振幅が小さくなるため、下側の指圧棒が狭い範囲で往復運動することになり、特定の場所を重点的に押圧することができる。
【００４４】
また、上側に配置された歯車（第二歯車）の中心からリンク体の軸止め位置までの距離を下側に配置された歯車（第三歯車）の中心からリンク体の軸止め位置までの距離よりも短くすることにより、上側に配置された歯車に連結された移動体の往復運動の方が下側に配置された歯車に連結された移動体の往復運動よりも振幅が小さくなり、上側の指圧棒を狭い範囲で往復運動させることができ、これにより、手の甲側に位置する指間を重点的に押圧することができる。
【００４５】
変形例３：本変形例に係る駆動ユニット１９においては、図１３に示すように、第一歯車２０と第二歯車４４とが噛み合い、かつ、第一歯車２０と第三歯車４５とが噛み合い、第二歯車４４と第三歯車４５とは噛み合わないように配置されており、第二歯車４４は、第三歯車４５よりも大径に形成されている。そして、第二歯車４４の側面に対するリンク体２６の一端が固定された位置４６と第三歯車４５の側面に対するリンク体３０の一端が固定された位置４７とは、図１４に示すように、両歯車４４，４５の中心を一致させた円上で比較すると中心からの距離が異なる位置関係となっており、第二歯車４４の側面に対するリンク体２６の一端が固定された位置４６の中心からの距離よりも第三歯車４５の側面に対するリンク体３０の一端が固定されている位置４７の中心からの距離の方が短い位置関係になっている。これにより、両移動体２５，２９は、異なる振幅・異なる周期で往復運動する。なお、移動体２５の往復運動よりも移動体２９の往復運動の方が、振幅が小さくなり、周期が短くなる。
【００４６】
本変形例においては、第二歯車に連結された移動体の往復運動よりも第三歯車に連結された移動体の往復運動の方が振幅が小さくなると共に周期が短くなるため、下側の指圧棒が狭い範囲を高速で往復運動することになり、特定の場所を重点的に押圧することができる。
【００４７】
また、上側に配置された歯車（第二歯車）の直径を下側に配置された歯車（第三歯車）の直径よりも小さくし、かつ、上側に配置された歯車（第二歯車）の中心からリンク体の軸止め位置までの距離を下側に配置された歯車（第三歯車）の中心からリンク体の軸止め位置までの距離よりも短くすることにより、上側に配置された歯車に連結された移動体の往復運動の方が下側に配置された歯車に連結された移動体の往復運動よりも周期が短くなると共に振幅が小さくなり、上側の指圧棒を狭い範囲で高速に往復運動させることができ、これにより、手の甲側に位置する指間を重点的に押圧することができる。
【００４８】
なお、第二歯車や第三歯車の側面に複数の軸孔を形成しておき、両歯車に対するリンク体の軸止め位置を変更することにより、上・下の指圧棒の往復運動を適宜変更することができる。
【００４９】
また、上・下の指圧棒の対向する面に鋸刃状の凹凸を形成することにより、指間に対して強い刺激を与えることができる。
【符号の説明】
【００５０】
１  指間用指圧装置
２  ボックス
３  駆動手段
４  動力源
５  治療台
６  指圧手段
７  左手
８  右手
９  第一変換機構
１０  第二変換機構
１１  第一回転軸
１２  第一小径歯車
１３  第二小径歯車
１４  第二回転軸
１５  ウォーム
１６  ウォームホイール
１７  第三回転軸
１８  支持板
１９  駆動ユニット
２０  第一歯車
２１，４４  第二歯車
２２，４５  第三歯車
２３，２７  ガイド体
２４，２８  ガイド孔
２５，２９  移動体
２６，３０  リンク体
３１，４０，４２，４６  第二歯車の側面におけるリンク体の一端が固定された位置
３２，４１，４３，４７  第三歯車の側面におけるリンク体の一端が固定された位置
３３  第一指圧部
３４  第二指圧部
３５  第三指圧部
３６  第四指圧部
３７  指圧棒
３８  弾性部
３９  凹溝
【図１】
2014104194.tif 000003
【図２】
2014104194.tif 000004
【図３】
2014104194.tif 000005
【図４】
2014104194.tif 000006
【図５】
2014104194.tif 000007
【図６】
2014104194.tif 000008
【図７】
2014104194.tif 000009
【図８】
2014104194.tif 000010
【図９】
2014104194.tif 000011
【図１０】
2014104194.tif 000012
【図１１】
2014104194.tif 000013
【図１２】
2014104194.tif 000014
【図１３】
2014104194.tif 000015
【図１４】
2014104194.tif 000016